(57)【要約】【課題】  通信デュエットを行っている歌唱相手の拠点に設置された照明装置を制御して照明効果の演出に参加できるようにして、通信デュエットに参加している利用者の一体感を高める。【解決手段】  それぞれカラオケ装置が設置された第１拠点と第２拠点とを、伝送路２０を介して通信可能に接続する。第１拠点において、照明制御データに基づき、カラオケ楽曲に同期して照明装置３３を制御する照明制御手段５１と、第２拠点において、伝送路２０を介して第１拠点に制御信号を送信することにより、第１拠点の照明制御手段５１を遠隔操作する遠隔操作手段３７ｅとを備える。第１拠点の照明制御手段５１は、取得した照明制御データと、第２拠点の遠隔操作手段３７ｅから受信した制御信号とに基づいて、照明装置３３を制御して照明効果を演出する。【選択図】図１
2015049262.tif 000002
【特許請求の範囲】
【請求項１】
それぞれカラオケ装置が設置された第１拠点と第２拠点とを、伝送路を介して通信可能に接続し、前記各拠点に設置されたカラオケ装置において、同一のカラオケ楽曲の演奏同期をとりながら、同時に歌唱を行う機能を有する通信カラオケシステムであって、
前記第１拠点に設置され、当該第１拠点における照明効果を演出する照明装置と、
前記第１拠点または前記第２拠点において、複数のカラオケ楽曲の中から演奏するカラオケ楽曲を指定する演奏楽曲指定手段と、
前記複数のカラオケ楽曲のうちの一部または全部にそれぞれ対応した複数の照明制御データを記憶する照明制御データ記憶手段と、
前記第１拠点において、前記照明制御データに基づき、前記カラオケ楽曲に同期して前記照明装置を制御する照明制御手段と、
前記演奏楽曲指定手段で指定されたカラオケ楽曲に対応した前記照明制御データを取得する照明制御データ取得手段と、
前記第２拠点において、前記伝送路を介して前記第１拠点に制御信号を送信することにより、前記第１拠点の前記照明制御手段を遠隔操作する遠隔操作手段と、を備え、
前記第１拠点の前記照明制御手段は、前記取得した照明制御データと、前記第２拠点の前記遠隔操作手段から受信した制御信号とに基づいて、前記照明装置を制御して照明効果を演出する、
ことを特徴とする通信カラオケシステム。
【請求項２】
前記照明制御データは、前記照明装置の点灯態様の時間的変化を規定した複数の照明パターンデータを含み、
前記遠隔操作手段は、制御信号として、前記複数の照明パターンデータのうちの一つを指定するための照明パターン選択情報を送信する、
ことを特徴とする請求項１に記載の通信カラオケシステム。
【請求項３】
前記伝送路を介して、前記第１拠点及び前記第２拠点と通信可能に接続されたセンターサーバを備え、
前記遠隔操作手段は、前記第２拠点の利用者が操作する携帯情報端末からなり、
前記センターサーバは、前記携帯情報端末から受信した前記第２拠点の利用者の操作情報に基づいて、前記第１拠点の前記照明制御手段に制御信号を送信する、
ことを特徴とする請求項１または２に記載の通信カラオケシステム。
【請求項４】
前記第１拠点で撮影した撮影画像に基づき、前記第２拠点において、前記第１拠点における照明効果を確認する照明演出確認手段を備えたことを特徴とする請求項１〜３のいずれか１項に記載の通信カラオケシステム。
【請求項５】
前記第１拠点において、歌詞描出データに基づき、当該第１拠点において歌唱すべき歌唱パートが終了したと判断した場合に、前記照明制御手段による前記照明装置の照明制御を、前記取得した照明制御データと、前記第２拠点の前記遠隔操作手段から受信した制御信号とに基づく制御から、前記取得した照明制御データのみに基づく制御に変更する照明制御変更手段を備えたことを特徴とする請求項１〜４のいずれか１項に記載の通信カラオケシステム。
【発明の詳細な説明】
【技術分野】
【０００１】
本発明は、伝送路で接続された２台のカラオケ装置において、例えば、通信デュエットを行う際に、デュエット相手のカラオケ装置が設置されたカラオケルームの照明装置を制御可能として、通信デュエットに参加している利用者の一体感を高めるようにした通信カラオケシステムに関するものである。
【背景技術】
【０００２】
現在普及しているカラオケシステムでは、伝送路により接続されたカラオケ装置において、デュエット歌唱を行うことができるシステムが普及し始めており、通信デュエットを行うためのシステムが種々開示されている（例えば、特許文献１参照）。
【０００３】
特許文献１に開示された技術は、双方向ブロードバンド方式の通信網に接続される複数の音楽演奏通信装置と、この音楽演奏通信装置の情報を管理する情報管理サーバとを接続して情報をやりとりする送受信システムを利用した通信デュエットに関する技術である。すなわち、音楽演奏通信装置間で映像・音響信号を、相互に送受信可能として複数の利用者が同時に演奏・参加するための検索・参加手段を備えており、演奏開始時刻及び進行中の演奏位置を相互で同時刻に合わせる同期信号方式と音響信号ストリームの通信上の欠損率（通信パケットロスの割合）と遅延とが大きくならないように他の映像ストリームや特徴情報よりも、音響信号を優先して通信網に配信する方式を用いるようになっている。
【０００４】
また、デュエット歌唱において、実際に歌唱を行っている歌唱者にスポットライトを照射するようにした技術が開示されている（例えば、特許文献２参照）。特許文献２に開示されたカラオケ装置は、カラオケ歌唱者の位置を検出する位置検出手段と、この位置検出手段の検出結果に基づいてカラオケ演奏を制御する制御手段と、スポットライトを照射するスポット照明手段と、位置検出手段の検出結果に基づきスポット照明をカラオケ歌唱者の方向に向けるスポット照明制御手段とを備えている。
【０００５】
また、楽曲の演奏に同期させて照明制御を行い、照明効果を高めるようにした技術が開示されている（例えば、特許文献３参照）。特許文献３に開示された自動伴奏装置は、演奏とともに使用されるステージ演出用の照明のパターンであって、複数の自動伴奏パターンのそれぞれに対応している複数の照明制御パターンを記憶している照明制御パターン記憶手段と、自動伴奏パターン指示手段で指示された自動伴奏パターンに対応する照明制御パターンを、照明制御パターン記憶手段から読み出す照明制御パターン読み出し手段と、読み出された照明制御パターンを、これに基づいて制御される照明手段に出力する照明制御パターン出力手段とを備えている。
【先行技術文献】
【特許文献】
【０００６】
【特許文献１】特開２００５−７７４８５号公報
【特許文献２】特開平８−２９２７７４号公報
【特許文献３】特開２０１０−１２２３６４号公報
【発明の概要】
【発明が解決しようとする課題】
【０００７】
ところで、デュエット曲の中には、ほぼ全曲を通して二人が歌唱するカラオケ楽曲もあれば、歌唱部分が半分程度、あるいは一方の歌唱者の歌唱パートが半分以下のカラオケ楽曲もある。このようなカラオケ楽曲をデュエット歌唱する際に、自らが歌唱する歌唱パートが少なかったり、自らの歌唱時間が短かったりしても、同じカラオケルーム内であればデュエット相手との一体感を感じることができる。しかし、伝送路を介して、遠隔地に設置された２台のカラオケ装置を接続してデュエット歌唱を行う通信デュエットの場合には、それぞれの歌唱者が存在する環境が異なり、デュエット相手との一体感を感じることができない場合もあった。
【０００８】
また、デュエット相手が歌唱している歌唱パートでは、デュエット相手の歌唱や映像を楽しむこともできるが、より積極的にデュエット歌唱に参加したいという要望がある。そこで、合いの手やパフォーマンス（ダンス）を行うことにより、デュエット歌唱に積極的に参加することも考えられる。しかし、このような態様での参加は、合いの手やパフォーマンス（ダンス）を行う利用者自身にとって満足できるものであっても、その音声や映像をデュエット相手の拠点に送って楽しんでもらうためには、伝送路を使って多量のデータを送信しなければならない。したがって、伝送路におけるデータ伝送量の制限や、データ伝送路におけるトラフィックの状況によっては、データの伝送遅延が生じるため、必ずしも効果的な解決策であるとは言い難かった。
【０００９】
本発明は、上述した事情に鑑み提案されたもので、通信デュエットを行っている歌唱相手の拠点に設置された照明装置を制御して照明効果の演出に参加できるようにして、通信デュエットに参加している利用者の一体感を高めることが可能な通信カラオケシステムを提供することを目的とする。
【課題を解決するための手段】
【００１０】
本発明の通信カラオケシステムは、上述した事情に鑑み提案されたもので、以下の特徴点を有している。すなわち、本発明の通信カラオケシステムは、それぞれカラオケ装置が設置された第１拠点と第２拠点とを、伝送路を介して通信可能に接続し、各拠点に設置されたカラオケ装置において、同一のカラオケ楽曲の演奏同期をとりながら、同時に歌唱を行う機能を有する通信カラオケシステムであって、照明装置と、演奏楽曲指定手段と、照明制御データ記憶手段と、照明制御手段と、照明制御データ取得手段と、遠隔操作手段とを備えたことを特徴とするものである。
【００１１】
なお、いずれの拠点が第１拠点となるか第２拠点となるかは、通信デュエットを行うカラオケ楽曲における各歌唱パートに基づき決定されるもので、実際に歌唱者が歌唱を行っている拠点が第１拠点となり、歌唱を行っていない拠点、すなわち、第１拠点における歌唱を聴く側の拠点が第２拠点となる。
【００１２】
照明装置は、第１拠点に設置され、第１拠点における照明効果を演出する装置である。演奏楽曲指定手段は、第１拠点または第２拠点において、複数のカラオケ楽曲の中から演奏するカラオケ楽曲を指定するための手段である。照明制御データ記憶手段は、複数のカラオケ楽曲のうちの一部または全部にそれぞれ対応した複数の照明制御データを記憶するための手段である。
【００１３】
照明制御手段は、第１拠点において、照明制御データに基づき、カラオケ楽曲に同期して照明装置を制御するための手段である。照明制御データ取得手段は、演奏楽曲指定手段で指定されたカラオケ楽曲に対応した照明制御データを取得するための手段である。遠隔操作手段は、第２拠点において、伝送路を介して第１拠点に制御信号を送信することにより、第１拠点の照明制御手段を遠隔操作するための手段である。
【００１４】
このような構成からなる通信カラオケシステムにおいて、第１拠点の照明制御手段は、取得した照明制御データと、第２拠点の遠隔操作手段から受信した制御信号とに基づいて、照明装置を制御して照明効果を演出する。
【００１５】
また、本発明の通信カラオケシステムは、上述した構成に加えて、照明制御データは、照明装置の点灯態様の時間的変化を規定した複数の照明パターンデータを含み、遠隔操作手段は、制御信号として、複数の照明パターンデータのうちの一つを指定するための照明パターン選択情報を送信することが可能である。
【００１６】
また、本発明の通信カラオケシステムは、上述した構成に加えて、伝送路を介して、第１拠点及び第２拠点と通信可能に接続されたセンターサーバを備え、遠隔操作手段は、第２拠点の利用者が操作する携帯情報端末から構成することが可能である。このような構成の場合、センターサーバは、遠隔操作手段である第２拠点の利用者が操作する携帯情報端末から受信した操作情報に基づいて、第１拠点の照明制御手段に制御信号を送信する。
【００１７】
また、本発明の通信カラオケシステムは、上述した構成に加えて、第１拠点で撮影した撮影画像に基づき、第２拠点において、第１拠点における照明効果を確認する照明演出確認手段を備えることが可能である。照明演出確認手段は、例えば、第１拠点において映像を撮影するためのビデオカメラ、ビデオカメラで撮影した映像データを第２拠点に送信するための送信手段、第２拠点において、第１拠点から送信されてくる映像データを受信するための受信手段、受信した映像データを表示するための表示装置等により構成する。
【００１８】
また、本発明の通信カラオケシステムは、上述した構成に加えて、第１拠点において、歌詞描出データに基づき、当該第１拠点において歌唱すべき歌唱パートが終了したと判断した場合に、照明制御手段による照明装置の照明制御を、取得した照明制御データと、第２拠点の遠隔操作手段から受信した制御信号とに基づく制御から、取得した照明制御データのみに基づく制御に変更する照明制御変更手段を備えることが可能である。
【発明の効果】
【００１９】
本発明の通信カラオケシステムでは、通信デュエットを行う際に、現に歌唱していない歌唱パートの歌唱者が、デュエット相手の拠点の照明装置をコントロールすることができる。これによりデュエット相手の拠点において、演出効果や雰囲気の盛り上げに貢献でき、自らの歌唱パートではなく、歌唱の待機状態にあったとしても、参加意識を高めることができる。したがって、遠隔地において通信デュエットを行った場合であっても、利用者の一体感を高めることができる。また、デュエット相手の拠点における照明演出は、リアルタイムに映像で確認することができるので、照明演出に参加しているという手応えを感じることもできる。
【００２０】
また、照明制御信号を一方的に送信するだけなので伝送路の負荷が小さく、データ輻輳やデータ遅延が生じるおそれが少ない。ここで、照明装置の制御にはＤＭＸプロトコルを用いることができ、このＤＭＸプロトコルでは送信するパケットサイズが小さく、ＤＭＸプロトコルデータを用いてデュエット相手の拠点における照明装置（灯体）を１基ずつコントロールすることにより、全体の輝度や発光色をコントロールすることが可能となる。
【００２１】
また、予め所定の長さの複数の照明パターンを用意しておき、この照明パターンを切り替える情報のみを任意のタイミングで送信する構成とした場合には、さらに送信データ量を削減することができる。
【００２２】
また、照明装置の遠隔操作は、カラオケ装置用のリモコン装置を使用してもよいが、センターサーバを備えて、利用者が所持する携帯情報端末（例えばスマートフォン）とカラオケ装置とをペアリングする機能を持たせる。そして、携帯情報端末に、照明装置の遠隔操作用の専用アプリケーションプログラムをインストールすることにより、携帯情報端末からセンターサーバを介して第１拠点に制御信号を送信する機能を持たせ、リモコン装置による選曲予約操作等を邪魔することなく、照明装置の遠隔操作を行うことが可能となる。
【００２３】
また、第２拠点で第１拠点における照明効果を確認する照明演出確認手段を備えた構成の場合には、第２拠点の利用者は、自らが行った照明制御の演出効果を確認することができ、通信デュエットの楽しさをさらに高めることが可能となる。
【００２４】
また、照明制御手段による照明装置の照明制御を変更する照明制御変更手段を備えた構成の場合には、第１拠点において歌唱すべき歌唱パートが終了すると、第１拠点における照明制御手段の制御態様が自動的に変更されるので、利用者は照明制御の変更を意識せずに、自らの歌唱パートの歌唱に集中できるとともに、自らが歌唱していない歌唱パートでは、照明装置を遠隔操作して照明効果を演出することができる。
【図面の簡単な説明】
【００２５】
【図１】本発明の実施形態に係る通信カラオケシステムの構成を示すブロック図。
【図２】照明制御データの一例を示す説明図。
【図３】複数の照明パターンデータを含んだ照明制御データの一例を示す説明図。
【図４】本発明の実施形態に係る通信カラオケシステムにおける照明制御の説明図（実施例１）。
【図５】本発明の実施形態に係る通信カラオケシステムにおける照明制御の説明図（実施例２）。
【図６】本発明の実施形態に係る通信カラオケシステムにおける照明操作の説明図（実施例１）。
【図７】本発明の実施形態に係る通信カラオケシステムにおける照明操作の説明図（実施例２）。
【発明を実施するための形態】
【００２６】
図面を参照して、本発明の通信カラオケシステムの実施形態について説明する。図１〜図７は本発明の実施形態に係る通信カラオケシステムに関するもので、図１は通信カラオケシステムの構成を示すブロック図、図２は照明制御データの説明図、図３は複数の照明パターンデータを含んだ照明制御データの説明図、図４及び図５は照明制御の説明図、図６及び図７は照明操作の説明図である。
【００２７】
＜通信カラオケシステムの概要＞
本発明の実施形態に係る通信カラオケシステム１０は、図１に示すように、それぞれカラオケ装置３０が設置された第１拠点と第２拠点とを、伝送路２０（専用電話回線、汎用回線、インターネット等）を介して通信可能に接続し、各拠点に設置されたカラオケ装置３０において、同一のカラオケ楽曲の演奏同期をとりながら、同時に歌唱を行う機能を有している。
【００２８】
なお、本実施形態において、第１拠点及び第２拠点という区別は便宜的なもので、いずれの拠点が第１拠点となるか第２拠点となるかは、通信デュエットを行うカラオケ楽曲における各歌唱パートに基づき決定される。例えば、男女のデュエット歌唱において、男声パートが演奏されている場合には、男声パートを歌唱しているカラオケ装置３０が設置されている拠点が第１拠点となり、第１拠点で男声パートが歌唱されている際に、この男声パートの歌唱を聴く側の拠点（女声パート側の拠点）が第２拠点となる。
【００２９】
一方、女声パートが演奏されている場合には、女声パートを歌唱しているカラオケ装置３０が設置されている拠点が第１拠点となり、この女声パートの歌唱を聴く側の拠点（男声パート側の拠点）が第２拠点となる。
【００３０】
以下に示す実施形態では、説明を簡単なものとするため、２台のカラオケ装置３０の間で通信デュエットを行う場合を説明するが、３台以上のカラオケ装置３０の間で、同一のカラオケ楽曲の演奏同期をとりながら、各カラオケ装置３０において同時に歌唱を行う場合にも、本発明を適用することができる。３台以上のカラオケ装置３０を用いた場合には、実際に歌唱を行っているカラオケ装置３０が設置された拠点が第１拠点となり、他のカラオケ装置３０が設置された拠点が第２拠点となる。このような構成の場合には、複数の第２拠点が存在することになり、第１拠点に対して遠隔操作により照明制御を行う第２拠点を決定しておく必要がある。
【００３１】
すなわち、複数の第２拠点からの遠隔操作に応じて、第１拠点の照明制御を行うと、照明制御が混乱することになるため、照明制御の主導権を有する第２拠点は一つだけである必要がある。したがって、予め定めた所定の第２拠点だけが照明制御の主導権を有したり、予め定めた順番で照明制御の主導権を有する第２拠点を交代させたり、時間的に最初に遠隔操作を行った第２拠点を照明制御の主導権を有する第２拠点としたりする等、種々の態様で照明制御の主導権を有する第２拠点を決定する。
【００３２】
本実施形態の通信カラオケシステム１０は、図１に示すように、照明装置３３と、演奏楽曲指定手段（例えば、カラオケリモコン装置３７、携帯情報端末７０）と、照明制御データ記憶手段（例えば、照明制御データベース４５ｃを格納したＨＤＤ４５）と、照明制御手段５１と、照明制御データ取得手段４７と、遠隔操作手段３７ｅ（携帯情報端末７０が遠隔操作手段３７ｅとして機能することもある）とを備えることにより、通信デュエットを行う際に、現に歌唱していない歌唱パートの歌唱者が、デュエット相手の拠点の照明装置３３をコントロールすることができる。
【００３３】
さらに、本実施形態の通信カラオケシステム１０は、照明演出確認手段、照明制御変更手段５１ａを備えていてもよい。照明演出確認手段は、例えば、第１拠点において映像を撮影するためのビデオカメラ３２、ビデオカメラで撮影した映像データをカラオケ本体３１に取り込むためのビデオＩ／Ｆ５２、第１拠点側で取り込んだ映像データを、伝送路２０を介して第２拠点のカラオケ装置３１に送信し、第２拠点側で当該映像データを受信するための両拠点が備えるネットワーク送受信手段４１、受信した映像データを表示する表示装置３４、映像データの表示を制御する映像再生制御手段５０等により構成することができる。また、照明演出変更手段５１ａは、照明制御手段５１に含まれるように構成することができる。
【００３４】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００３５】
＜カラオケ装置＞
本発明の実施形態に係る通信カラオケシステム１０を適用するカラオケ装置３０は、図１に示すように、カラオケ本体３１、ビデオカメラ３２、照明装置３３、表示装置３４、マイクロホン３５、スピーカ３６、カラオケリモコン装置３７、ミキシングアンプ３８を備えている。また、カラオケ装置３０は、ルータ４０及び伝送路２０を介して、他のカラオケ装置３０及びセンターサーバ６０とネットワーク接続されている。
【００３６】
また、利用者が所持する携帯情報端末７０（例えば、スマートフォン）に所定のアプリケーションソフトをインストールすることにより、カラオケ装置３０と携帯情報端末７０とをペアリングし、センターサーバを介して、第２拠点の利用者が所持する携帯情報端末７０から第１拠点に対して照明制御を行うための制御信号を送信してもよい。この場合には、携帯情報端末７０が遠隔操作手段３７ｅとして機能する。
【００３７】
＜伝送路＞
伝送路２０は、専用電話回線、汎用回線（一般電話回線）、インターネット、光通信網、ＬＡＮ及びこれらを組み合わせた通信回線等を使用することができる。使用する伝送路は、カラオケ装置３０が設置された環境等に応じて、適宜選択することができるが、特に、歌唱音声信号の送受信を行う伝送路は、可能な限りデータ送受信の遅延をなくすために、専用電話回線を用いることが好ましい。また、データ送受信の遅延が問題とならないデータの場合には、インターネットのＶＰＮ機能等を用いてもよい。
【００３８】
＜センターサーバ＞
センターサーバ６０は、会員情報の管理、カラオケ装置３０に対する楽曲データの配信、録音録画データの公開、照明制御に関する制御信号の中継等を行うためのサーバである。センターサーバ６０は、主要な構成要素として、サーバ制御手段６１、通信制御手段６２、データ記憶手段６３を備えている。なお、図示しないが、サーバとしての機能を発揮するための電子機器であるＲＯＭ、ＲＡＭ、その他の電子機器を備えている。また、単独のセンターサーバ６０により、上述した複数の機能を実現するのではなく、各機能に特化したサーバを設け、各サーバにより各機能を実現してもよい。この際、仮想化技術により、１つのサーバに複数の機能を持たせることもできる。
【００３９】
＜サーバ制御手段／通信制御手段／データ記憶手段＞
サーバ制御手段６１は、ＣＰＵ等を備えてセンターサーバ６０を総合的に制御するための電子回路からなり、ＲＯＭ等に記憶された制御プログラムに従ってＣＰＵ等が動作することにより、センターサーバ６０の動作を制御する。通信制御手段６２は、伝送路２０を介して、カラオケ装置３０や他のサーバ等の間でデータを送受信する際に、データ通信の整合性を確保するための電子回路及びプログラムからなる。データ記憶手段６３は、会員情報データ、楽曲データ等の各種のデータを記憶するＨＤＤ等の大容量記憶装置からなる。
【００４０】
＜カラオケリモコン装置＞
カラオケリモコン装置３７は、ユーザインタフェース機能を備えており、ルータ４０を介して、カラオケ本体３１のネットワーク送受信手段４１との間でデータの送受信を行うようになっている。このカラオケリモコン装置３７は、楽曲検索手段３７ａとして機能するプログラム、楽曲索引データベース３７ｂ、種々のデータを記憶するためのデータ記憶部３７ｃ、データの入出力を行うための入出力表示部３７ｄ、遠隔操作手段３７ｅを備えている。このカラオケリモコン装置３７に付帯するスイッチ類や、入出力表示部３７ｄに表示される各種のアイコン等を操作することにより、選曲操作や、デュエット相手の拠点（第１拠点）に対する照明制御のための制御信号送信等が行われる。
【００４１】
なお、本実施例では、カラオケリモコン装置３７が、演奏楽曲指定手段として機能する。すなわち、通信デュエットを行う際に、カラオケリモコン装置３７が演奏楽曲指定手段として機能し、複数のカラオケ楽曲の中から演奏するカラオケ楽曲を指定する。そして、伝送路２０を介して、通信デュエットの相手となる拠点のカラオケ装置３０に、指定したカラオケ楽曲の楽曲ＩＤを送信する。これにより、両拠点において通信デュエットを行うカラオケ楽曲を特定することができる。
【００４２】
＜携帯情報端末＞
また、カラオケ装置３０と、利用者が所持する携帯情報端末７０（例えば、スマートフォン）とをペアリングすることにより、相互にデータの送受信を可能とするとともに、携帯情報端末７０に選曲予約のためのアプリケーションソフトをインストールして、当該携帯情報端末７０に選曲予約機能を持たせることもできる。携帯情報端末７０は、基地局８０及び伝送路２０を介して、センターサーバ６０とデータ通信を行うことができる。
【００４３】
また、携帯情報端末７０に、遠隔操作手段として機能させるためのアプリケーションソフトをインストールすることにより、センターサーバ６０を介して、第２拠点の利用者が所持する携帯情報端末７０から第１拠点に対して照明制御を行うための制御信号を送信するように構成してもよい。
【００４４】
＜楽曲検索手段／楽曲索引データベース＞
楽曲検索手段３７ａは、利用者の指示に基づき、楽曲索引データベース３７ｂを参照して楽曲を検索するためのプログラムからなる。楽曲索引データベース３７ｂは、カラオケ装置３０で演奏に供されるカラオケ楽曲について、その属性情報を記述したデータベースであり、例えば、楽曲番号・曲名・アーティスト名・歌い出し部分の歌詞・流行時期・音楽ジャンル区分・デュエット曲か否かなど、種々の属性情報がこれに含まれている。
【００４５】
＜遠隔操作手段＞
遠隔操作手段３７ｅは、第２拠点となるカラオケ装置３０において、伝送路２０を介して第１拠点に制御信号を送信することにより、第１拠点の照明制御手段５１を遠隔操作するためのプログラム及び電子回路からなる。なお、上述したように、携帯情報端末７０が遠隔操作手段として機能することもある。
【００４６】
＜ビデオカメラ＞
ビデオカメラ３２は、利用者の歌唱姿態を撮影するための装置であり、本実施形態では、歌唱者の歌唱姿態を撮影可能な位置に設置されている。また、ビデオカメラ３２は、フォーカシング機能、ズーム機能、パン・チルト機能等を備えていてもよく、さらに、マイクロホンを備えていてもよい。このビデオカメラ３２で撮影した歌唱者の歌唱映像は、ビデオＩ／Ｆ５２を介して、カラオケ本体３１に取り込まれ、通信デュエットを行う相手側のカラオケ装置３０に送信して、その表示装置３４に表示する。また、撮影した歌唱映像をＤＶＤ等の記憶媒体に記憶したり、ウェブサイト等で公開したりする機能を持たせてもよい。
【００４７】
本発明においては、特に、第１拠点の歌唱姿態を撮影して第２拠点のカラオケ装置３０に送信し、その表示装置３４に表示することは重要である。なぜならば、第２拠点の利用者は、第１拠点から送信された映像により、自身が操作した第１拠点における照明演出の効果をリアルタイムに確認したり楽しんだりすることができるからである。
【００４８】
＜マイクロホン＞
マイクロホン３５は、歌唱音声の入力を行うための装置である。マイクロホン３５から入力された歌唱音声信号は、ミキシングアンプ３８により、音楽再生制御手段４８から送出される演奏音声信号とミキシングされると共に増幅され、スピーカ３６へ出力される。
【００４９】
また、通信デュエットを行う場合には、第１拠点のカラオケ装置３０に付帯したマイクロホン３５から入力され、Ａ／Ｄコンバータ４９によりデジタル変換された歌唱音声信号は、第２拠点のカラオケ装置３０に送信される。同様に、第２拠点のカラオケ装置３０に付帯したマイクロホン３５から入力され、Ａ／Ｄコンバータ４９によりデジタル変換された歌唱音声信号は、第１拠点のカラオケ装置３０に送信される。
【００５０】
さらに、マイクロホン３５から入力された歌唱音声信号を、Ａ／Ｄコンバータ４９によりデジタル変換して、歌唱採点手段（図示せず）における採点処理に使用してもよい。
【００５１】
＜表示装置＞
表示装置３４は、カラオケ楽曲に関連した背景映像や歌詞テロップ、通信デュエットの相手映像等を表示するための装置で、例えば、液晶ディスプレイ等により構成される。
【００５２】
＜照明演出確認手段＞
照明演出確認手段は、第１拠点で撮影した撮影画像に基づき、第２拠点において、第１拠点における照明効果を確認するための手段であり、例えば、第１拠点及び第２拠点の下記手段を照明演出確認手段として機能させることができる。すなわち、第１拠点が備える手段として、映像を撮影するためのビデオカメラ３２、ビデオカメラ３２で撮影した映像データをカラオケ本体３１に取り込むビデオＩ／Ｆ５２、伝送路２０を介して当該映像データを第２拠点に送信するネットワーク送受信手段４１、第２拠点が備える手段として、映像データを受信するネットワーク送受信手段４１、受信した映像データを表示する表示装置３４、表示装置３４における映像表示を制御する映像再生制御手段５０を連携して機能させることにより、照明演出確認手段を構成する。
【００５３】
この照明演出確認手段を設けることにより、ただ単に、通信デュエットの相手映像及び歌唱音声を視聴するだけではなく、自ら関与した照明演出の効果を確認することができるので、通信デュエットに参加しているという、利用者の一体感を高めることができる。
【００５４】
＜照明装置＞
照明装置３３は、歌唱者をライティングして照明効果を演出するための装置で、例えば、赤色光、緑色光、青色光をそれぞれ発光するＬＥＤを複数備えている。照明装置３３の発光は、照明制御手段５１により制御されるが、発光制御には照明制御データが用いられる。照明制御データについては、後に詳述する。なお、本実施形態では、説明を簡単なものとするため、第１拠点の歌唱者を照射するスポットライト１基を照明制御手段５１により照明装置３３として制御するものとしているが、照明制御手段５１により複数のスポットライトからなる照明装置３３を制御するような構成としてもよい。
【００５５】
＜カラオケ本体＞
カラオケ本体３１は、ネットワーク送受信手段４１、中央制御手段４２、ＲＯＭ４３、ＲＡＭ４４、ＨＤＤ４５、予約管理手段４６、照明制御データ取得手段４７、音楽再生制御手段４８、Ａ／Ｄコンバータ４９、映像再生制御手段５０、照明制御手段５１、ビデオＩ／Ｆ５２を備えている。
【００５６】
＜中央制御手段＞
中央制御手段４２は、カラオケ本体３１を総合的に制御するための手段であり、例えばＣＰＵ及びその周辺機器により構成されており、ＣＰＵ等がＲＯＭ４３等に記憶されたプログラムに従って動作することにより、制御機能を発揮することができるようになっている。
【００５７】
＜ＲＯＭ／ＲＡＭ＞
ＲＯＭ４３は、カラオケ本体３１を構成する各機器を制御するためのプログラムデータや数値データを記憶するための機器で、例えば半導体メモリ等で構成される。また、ＲＡＭ４４は、プログラムや各種データを一時的に記憶する一時記憶領域として機能するもので、例えば半導体メモリ等で構成される。
【００５８】
本実施形態では、ＲＡＭ４４に、予約待ち行列４４ａが記憶されるようになっている。なお、予約待ち行列４４ａは、選曲予約されたカラオケ楽曲について、演奏順に楽曲ＩＤを並べて構成されたデータテーブルであり、選曲予約者の利用者ＩＤ等、他の識別データが紐付けされている場合もある。
【００５９】
＜ＨＤＤ＞
ＨＤＤ４５は、大容量記憶装置として機能するもので、楽曲データベース４５ａ、映像データベース４５ｂ、照明制御データベース４５ｃが格納されている。なお、ＨＤＤ４５に替えて、あるいはＨＤＤ４５と共に、データを書き替え可能なＤＶＤ等の大容量記憶装置を用いてもよい。
【００６０】
＜楽曲データベース／映像データベース＞
楽曲データベース４５ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース４５ｂは、演奏されるカラオケ楽曲に対応した背景映像を、当該カラオケ楽曲の楽曲ＩＤに対応させた映像ファイルとして所定数格納したデータベースである。
【００６１】
＜照明制御データ記憶手段＞
照明制御データ記憶手段は、複数のカラオケ楽曲のうちの一部または全部にそれぞれ対応した複数の照明制御データを記憶するための装置であり、本実施形態では、照明制御データベース４５ｃを格納したＨＤＤ４５が照明制御データ記憶手段として機能する。
【００６２】
＜照明制御データ＞
照明制御データは、例えば、ＤＭＸプロトコルのデータであり、同色のＬＥＤ群毎に、それぞれ「０」から「２５５」のＤＭＸ信号の数値で輝度を制御し、全体として多様な発光色で発光させることができる。ＤＭＸ５１２規格では、５１２チャンネルの制御が可能であり、そのうちの３チャンネルを使用して、例えば、赤色２５５、緑色２５５、青色２５５の数値を付与すると明るい白色光となり、赤色１２７、緑色１２７、青色０の数値を付与すれば、やや暗い黄色の発光色となる。
【００６３】
このＤＭＸ信号を用いた照明制御データの構成例を図２に示す。図２に示す照明制御データは、演奏の進行時間に対する、赤色ＬＥＤ群の輝度値、緑色ＬＥＤ群の輝度値、青色ＬＥＤ群の輝度値からなり、各輝度値に応じて、種々の発光色を発光するようになっている。なお、図２に示すタイムベースにおいて、ＴＰＱＮ（Ｔｉｃｋｓ  Ｐｅｒ  Ｑｕａｔｅｒ  Ｎｏｔｅ（４分音符あたりのＴｉｃｋ数）は９６である。このようにＤＭＸ信号は、カラオケ演奏制御データであるＭＩＤＩ規格の信号と非常によく似た構造であるため、容易にカラオケ演奏とテンポ同期させながら照明装置３３を制御することができる。
【００６４】
また、照明制御データは、照明装置３３の点灯態様の時間的変化を規定した複数の照明パターンデータを含んでいてもよい。すなわち、図２に示す照明制御データを照明パターンの一つとして、一つの照明制御データの中に複数の照明パターンを含ませることができる。具体的には、例えば図３に示すように、各カラオケ楽曲に対応して、複数の照明パターンを含んだ照明制御データが作成され、ＨＤＤ４５等からなる照明制御データ記憶手段に記憶されている。このような構成とした場合には、遠隔操作手段３７ｅは、制御信号として、複数の照明パターンデータのうちの一つを指定するための照明パターン選択情報を送信すればよい。
【００６５】
＜ネットワーク送受信手段＞
ネットワーク送受信手段４１は、ルータ４０を介してセンターサーバ６０及び他のカラオケ装置３０との間でデータの送受信を行うための電子回路及びプログラムからなる。また、カラオケ装置３０がルータ４０を介して店内ＬＡＮ接続されている場合には、ネットワーク送受信手段４１の機能により、店内ＬＡＮに接続された他のカラオケ装置３０やＰＯＳサーバ（図示せず）等の間で行われるデータの送受信も制御する。
【００６６】
さらに、ローカル送受信手段（図示せず）を設けて、カラオケ本体３１とカラオケリモコン装置３７との間で、赤外線通信等によるデータの送受信を行い、カラオケ本体３１とカラオケリモコン装置３７とのペアリング等を行ってもよい。
【００６７】
＜予約管理手段＞
予約管理手段４６は、任意の利用者が選曲予約する際に、当該選曲されたカラオケ楽曲の楽曲ＩＤを含む予約待ち行列４４ａを作成して管理するためのプログラムからなる。すなわち、予約管理手段４６は、利用者により楽曲検索手段３７ａの機能を用いて選曲された楽曲ＩＤを演奏順に並べて予約待ち行列４４ａを作成し、この予約待ち行列４４ａをＲＡＭ４４に格納して管理する。また、予約待ち行列４４ａに選曲者の利用者ＩＤを含める場合には、利用者ＩＤの取得が必要となる。
【００６８】
利用者ＩＤは、利用者ＩＤカードに記憶された利用者ＩＤをカードリーダにより読み取り、あるいは、カラオケリモコン装置３７の入出力表示部３７ｄを用いて入力された利用者ＩＤ及びパスワードに基づいて取得すればよい。さらに、利用者が携帯する携帯情報端末７０を用いて予約を行う機能を有する場合には、当該携帯情報端末７０の機器ＩＤに紐付けされた利用者ＩＤを取得してもよい。また、カラオケ装置３０を使用する際に、利用者に対して一時的に利用者ＩＤを付与してもよい。
【００６９】
＜照明制御データ取得手段＞
照明制御データ取得手段４７は、演奏楽曲指定手段で指定されたカラオケ楽曲に対応した照明制御データを取得するためのプログラムからなる。すなわち、各カラオケ楽曲は、それぞれ対応する照明制御データを有しており、照明制御データは照明制御データベース４５ｃとしてＨＤＤ４５に格納されている。そして、カラオケ楽曲が選曲されると、照明制御データ取得手段４７の機能により、当該カラオケ楽曲に対応した照明制御データを取得する。
【００７０】
＜照明制御手段＞
照明制御手段５１は、取得した照明制御データに基づき、カラオケ楽曲に同期して照明装置３３を制御するためのプログラム及び電子回路からなる。照明制御手段５１は、通信デュエットを行う際に、第１拠点、すなわち、実際に歌唱者が歌唱を行っている拠点において動作し、歌唱を行っていないデュエット相手の第２拠点から送信されてくる制御信号と、取得した照明制御データに基づいて、照明装置３３を制御して照明効果を演出する。
【００７１】
なお、通信デュエットを行わない場合には、取得した照明制御データのみに基づき、カラオケ楽曲に同期して照明装置３３を制御することができる。すなわち、演奏するカラオケ楽曲に対応した照明制御データに基づいて照明装置３３を制御することにより、当該カラオケ楽曲に相応しい照明効果を演出することができる。
【００７２】
本実施形態の照明制御手段５１は、照明制御変更手段５１ａを含んでいる。この照明制御変更手段５１ａは、第１拠点において、歌詞描出データに基づき、当該第１拠点において歌唱すべき歌唱パートが終了したと判断した場合に、照明制御手段５１による照明装置３３の照明制御を、取得した照明制御データと、第２拠点の遠隔操作手段３７ｅから受信した制御信号とに基づく制御から、取得した照明制御データのみに基づく制御に変更するためのプログラムからなる。
【００７３】
すなわち、第１拠点において、照明制御手段５１は、当該第１拠点で歌唱すべき歌唱パートである場合には、現に演奏しているカラオケ楽曲に対応して取得した照明制御データと、第２拠点の遠隔操作手段３７ｅから受信した制御信号とに基づく制御を行う。そして、照明制御変更手段５１ａが、当該歌唱パート（第１拠点において歌唱すべき歌唱パート）の終了を判断すると、第１拠点における照明制御手段５１が、第２拠点からの遠隔操作を受け付けない状態とし、取得した照明制御データのみに基づく制御に変更する。
【００７４】
＜音楽再生制御手段＞
音楽再生制御手段４８は、楽曲ＩＤに基づいて演奏データから抽出された演奏制御データを用いて、音源データをデジタル再生すると共にアナログ変換してミキシングアンプ３８に出力するための電子回路である。上述したように、ミキシングアンプ３８は、マイクロホン３５から入力された歌唱者の歌唱音声信号と、音楽再生制御手段４８から送出される演奏音声信号とをミキシングすると共に、アンプ機能により増幅してスピーカ３６より出力するための装置である。
【００７５】
＜映像再生制御手段＞
映像再生制御手段５０は、カラオケ楽曲の演奏中に、映像データベース４５ｂから抽出した背景映像データと、演奏データに含まれる歌詞描出データに基づいて作成される歌詞文字とを、当該カラオケ楽曲の演奏データに同期させて表示装置３４に出力するためのプログラムからなる。
【００７６】
＜照明制御（実施例１）＞
実施例１に係る照明制御は、第１拠点の照明制御手段５１が、取得した照明制御データと、第２拠点の遠隔操作手段３７ｅから受信した制御信号とに基づいて、照明装置３３を制御して照明効果を演出するようにしたものである。
【００７７】
実施例１に係る照明制御では、図４に示すように、第１拠点の照明制御手段５１は、取得した照明制御データに基づいて照明装置３３を制御している。この状態では、現に演奏しているカラオケ楽曲に対応した照明制御データの制御値に基づいて、赤色ＬＥＤ群、緑色ＬＥＤ群、青色ＬＥＤ群の輝度を制御する。
【００７８】
そして、第２拠点の遠隔操作手段３７ｅから制御信号を受信すると、当該制御信号に基づいて、照明制御データの制御値を変更して、変更後の照明制御データの制御値に基づいて、赤色ＬＥＤ群、緑色ＬＥＤ群、青色ＬＥＤ群の輝度を制御する。
【００７９】
赤色ＬＥＤ輝度値、緑色ＬＥＤ輝度値、青色ＬＥＤ輝度値を入力するには、例えば、カラオケリモコン装置３７の入出力表示部３７ｄを用いて、図６に示すようなユーザインタフェースを設ければよい。このユーザインタフェースにおいては、第２拠点の利用者がカラオケリモコン装置３７のタッチパネルに触れるまでは、第２拠点の遠隔操作手段３７ｅは制御信号を送信せず、カラオケ楽曲に対応した照明制御データの各色ＬＥＤ輝度値をカラオケ本体３１から取得して入出力表示部３７ｄに各スライダーノブの位置として表示する。
【００８０】
そして、第２拠点の利用者がタッチパネルのスライダーノブに触れると、触れたスライダーノブの位置に応じて各色の輝度値を生成し、遠隔操作手段３７ｅが制御信号を第１拠点に送信する。なお、第１拠点の利用者の歌唱パートが終了し、あるいは第２拠点の利用者の歌唱パートが開始したことを契機として、第２拠点の遠隔操作手段３７ｅによる第１拠点の照明装置の制御を終了するように構成することもできる。
【００８１】
第１拠点における利用者の歌唱パートの終了判断は、照明制御変更手段５１ａの機能により行われる。すなわち、第１拠点において、照明制御変更手段５１ａは、歌詞描出データに基づき、歌唱すべき歌唱パートが終了したか否かを判断する。そして、第１拠点の歌唱者が歌唱すべき歌唱パートが終了すると、照明制御手段５１における照明制御の態様を変更する。
【００８２】
＜照明制御（実施例２）＞
実施例２に係る照明制御は、照明制御データが、照明装置３３の点灯態様の時間的変化を規定した複数の照明パターンデータを含んでいる場合であり、第２拠点の遠隔操作手段３７ｅは、制御信号として、複数の照明パターンデータのうちの一つを指定するための照明パターン選択情報を送信するようにしたものである。
【００８３】
実施例２に係る照明制御では、図５に示すように、第１拠点の照明制御手段５１は、取得した照明制御データに基づいて照明装置３３を制御している。この状態では、現に演奏しているカラオケ楽曲に対応した照明制御データの照明パターンデータに基づいて、赤色ＬＥＤ群、緑色ＬＥＤ群、青色ＬＥＤ群の輝度を制御する。
【００８４】
そして、第２拠点の遠隔操作手段３７ｅから制御信号を受信すると、当該制御信号に基づいて、照明制御データの照明パターンデータを変更して、変更後の照明制御データの照明パターンデータに基づいて、赤色ＬＥＤ群、緑色ＬＥＤ群、青色ＬＥＤ群の輝度を制御する。
【００８５】
照明制御データの照明パターンを入力するには、例えば、カラオケリモコン装置３７の入出力表示部３７ｄを用い、図７に示すようなユーザインタフェースを設ければよい。このユーザインタフェースにおいては、カラオケ楽曲で使用されるパターンの分だけ、パターン選択ボタンが表示されている。
【００８６】
第２拠点の利用者がカラオケリモコン装置３７のタッチパネルに触れるまでは、第２拠点の遠隔操作手段３７ｅは制御信号を送信せず、カラオケ楽曲に対応した照明パターンデータをカラオケ本体３１から取得して当該照明パターンデータに対応するパターン選択ボタンの表示態様（例えば表示色）を変えて表示する。そして、第２拠点の利用者がタッチパネルのパターン選択ボタンに触れると、触れたパターン選択ボタンに応じた照明パターンデータを生成し、遠隔操作手段３７ｅが制御信号を第１拠点に送信する。
【００８７】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００８８】
また、本実施形態では、説明を簡単なものとするため、１基のスポットライトを照明装置３３として照明制御手段５１により制御するものとしたが、例えば２０基の灯体を配置し、それぞれの赤色ＬＥＤ群、緑色ＬＥＤ群、青色ＬＥＤ群の輝度を制御してもよい。この場合には、ＤＭＸ５１２規格の５１２チャンネルのうち、６０チャンネルを使用することになる。また、さらに多くのチャンネルを用い、ムーヴィングヘッドと呼ばれる灯体のパンやチルトを制御することもできる。
【符号の説明】
【００８９】
１０  通信カラオケシステム
２０  伝送路
３０  カラオケ装置
３１  カラオケ本体
３２  ビデオカメラ
３３  照明装置
３４  表示装置
３５  マイクロホン
３６  スピーカ
３７  カラオケリモコン装置
３７ａ  楽曲検索手段
３７ｂ  楽曲索引データベース
３７ｃ  データ記憶部
３７ｄ  入出力表示部
３７ｅ  遠隔操作手段
３８  ミキシングアンプ
４０  ルータ
４１  ネットワーク送受信手段
４２  中央制御手段
４３  ＲＯＭ
４４  ＲＡＭ
４４ａ  予約待ち行列
４５  ＨＤＤ
４５ａ  楽曲データベース
４５ｂ  映像データベース
４５ｃ  照明制御データベース
４６  予約管理手段
４７  照明制御データ取得手段
４８  音楽再生制御手段
４９  Ａ／Ｄコンバータ
５０  映像再生制御手段
５１  照明制御手段
５１ａ  照明制御変更手段
５２  ビデオＩ／Ｆ
６０  センターサーバ
６１  サーバ制御手段
６２  通信制御手段
６３  データ記憶手段
７０  携帯情報端末
８０  基地局
【図１】
2015049262.tif 000003
【図２】
2015049262.tif 000004
【図３】
2015049262.tif 000005
【図４】
2015049262.tif 000006
【図５】
2015049262.tif 000007
【図６】
2015049262.tif 000008
【図７】
2015049262.tif 000009